【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
座席ユニットであって、
ベースと、
リクライニング式背もたれ構成要素と、
座部構成要素と、
前記背もたれ構成要素および前記座部構成要素を前記ベース上で動作可能に支持して、直立位置とリクライニング位置との間で同期移動させる制御部と
を含み、
該制御部は、前記ベース上で支持される少なくとも１つのたわみ支持部材と、前記ベースに枢着されて、該たわみ支持部材から離隔した位置でほぼ水平方向の軸を中心に移動する連結部とを含み、
前記たわみ支持部材は、端部セクションが前記座部構成要素および前記背もたれ構成要素の少なくとも一方に動作可能に取り付けられたアームを有し、前記一方の構成要素と着座したユーザとを合わせた重量を支えるためにほぼ垂直方向に剛性が高いが、リクライニング時の同期移動を可能にするためにほぼ水平方向にたわみ性が高く、
前記連結部は剛直であり、前記ベースに枢着されるとともに前記一方の構成要素にも枢動可能に接続され、
それにより、前記たわみ部材および前記連結部は、前記背もたれ構成要素のリクライニング時に画定される経路に沿って前記一方の構成要素を移動させる、座席ユニット。
【請求項２】
前記少なくとも１つのたわみ支持部材は、前記背もたれ構成要素および前記座部構成要素それぞれと係合する第１および第２の支持部材を含む、請求項１に記載の座席ユニット。
【請求項３】
前記たわみ部材は、板ばね状の服従部材を備える、請求項１に記載の座席ユニット。
【請求項４】
前記連結部は、前記座部構成要素の後部部分に枢着されるとともに、該後部部分を円弧状に移動させ、
前記たわみ部材は、前記座部構成要素の前部部分に取り付けられるとともに、該前部部分をほぼ直線状に移動させる、請求項１に記載の座席ユニット。
【請求項５】
前記アームの前記端部は、前記座部構成要素および該座部に着座したユーザがリクライニング時に持ち上げられるように、リクライニング時に上向き角度に沿って可動であり、
それにより、リクライニング時にエネルギーが吸収され、体重が重い人ほどリクライニング時に与えられる釣り合い支持力が自動的に大きくなり、かつリクライニング位置から直立位置に戻る移動時に、前記体重が重い人に補助的な持ち上げ力が自動的に与えられる、請求項１に記載の座席ユニット。
【請求項６】
前記連結部に動作可能に取り付けられるブースター機構を含み、
該ブースター機構は、リクライニング時に与えられる支持力を増強および増大させるように選択的に係合可能なねじりばねを有する、請求項１に記載の座席ユニット。
【請求項７】
座席ユニットであって、
ベースと、
座部構成要素およびリクライニング式背もたれ構成要素と、
前記座部構成要素および前記背もたれ構成要素を動作可能に支持して、前記背もたれ構成要素のリクライニング時に連係して同期移動させる座部下制御部であって、前記座部構成要素および前記背もたれ構成要素の少なくとも一方を支持するためにほぼ水平方向に可動であるアームを含む、座部下制御部と
を備え、
前記一方の構成要素は、快適表面構造を有し、
該快適表面構造は、着座したユーザの体の輪郭に応じて個別にたわむようになっている水平方向に延びる支持ワイヤを含み、それにより、リクライニング時に前記着座したユーザが前記一方の構成要素に対して摺動する傾向がないようにする、座席ユニット。
【請求項８】
前記アームは、リクライニング時に前記座部構成要素を持ち上げ、リクライニング時に増大した自動体重作動式背もたれ支持力を与える、請求項７に記載の座席ユニット。
【請求項９】
前記ワイヤは、前記一方の構成要素にわたって延びる平行な直線状セクションを含む、請求項７に記載の座席ユニット。
【請求項１０】
前記一方の構成要素は前記座部構成要素である、請求項１または７に記載の座席ユニット。
【請求項１１】
前記一方の構成要素は前記背もたれ構成要素である、請求項１また７に記載の座席ユニット。
【請求項１２】
前記一方の構成要素は、主に水平方向に、但し垂直方向成分も伴って移動する、請求項７に記載の座席ユニット。
【請求項１３】
前記座部構成要素の後部部分に枢着されるとともに、該後部部分をほぼ円弧状に移動させる連結部を含み、
前記たわみ部材は、前記座部構成要素の前部部分に取り付けられるとともに、該前部部分をほぼ直線状に移動させる、請求項７に記載の座席ユニット。
【請求項１４】
前記制御部は、前記ベースに取り付けられるとともに、前記背もたれ構成要素および前記座部構成要素の一方を動作可能に支持する、少なくとも１つのたわみ部材を含む、請求項７に記載の座席ユニット。
【請求項１５】
前記制御部は、前記座部および前記ベースに枢着される連結部を含み、
該連結部は前記たわみ部材から離隔している、請求項１４に記載の座席ユニット。
【請求項１６】
座席ユニットであって、
ベースと、
背もたれ構成要素と、
座部構成要素と、
前記背もたれ構成要素および前記座部構成要素に動作可能に接続されるとともに前記背もたれ構成要素および前記座部構成要素を前記ベース上に支持して、直立位置とリクライニング位置との間を同期移動させる座部下制御部であって、前記座部構成要素および前記背もたれ構成要素の少なくとも一方を支持するためにほぼ水平方向に可動である服従アームを含み、前記ベースに枢着されるとともに前記座部構成要素に枢着されて、前記アームから離隔した位置で前記ベース上のほぼ水平方向の軸を中心に移動する連結部も含む、座部下制御部と
を備える、座席ユニット。
【請求項１７】
座席ユニットであって、
ベースと、
背もたれ構成要素と、
座部構成要素と、
前記背もたれ構成要素および前記座部構成要素に動作可能に接続されるとともに前記背もたれ構成要素および前記座部構成要素を前記ベース上に支持して、直立位置とリクライニング位置との間を同期移動させる座部下制御部であって、前記座部構成要素および前記背もたれ構成要素の少なくとも一方を支持するためにほぼ水平方向に可動である服従アームを含み、前記直立位置に向けて前記一方の構成要素を付勢するように選択的に係合可能なブースター機構も含む、座部下制御部と
を備える、座席ユニット。
【請求項１８】
オン位置とオフ位置との間で前記ブースター機構を切り替えるオン／オフアクチュエータを含む、請求項１７に記載の座席ユニット。
【請求項１９】
座席ユニットであって、
ベースと、
背もたれ構成要素と、
座部構成要素と、
前記背もたれ構成要素および前記座部構成要素に動作可能に接続されるとともに前記背もたれ構成要素および前記座部構成要素を前記ベース上に支持して、直立位置とリクライニング位置との間を同期移動させる座部下制御部であって、前記座部構成要素および前記背もたれ構成要素の少なくとも一方を支持するためにほぼ水平方向に可動である服従アームを含み、前記リクライニング位置への前記一方の構成要素の移動を制限するように選択的に係合可能な背もたれ停止部も含む、座部下制御部と
を備える、座席ユニット。
【請求項２０】
前記服従アームは、第１の方向に弾性およびたわみ性を有するが、該第１の方向に対して垂直な第２の方向に荷重を支える剛性および構造を有する、請求項１６または１９に記載の座席ユニット。
【請求項２１】
前記服従アームは、前記背もたれ構成要素を支持する少なくとも１つの第１のアームと、前記座部構成要素を支持する少なくとも１つの第２のアームとを含む、請求項１６または２０に記載の座席ユニット。
【請求項２２】
座席ユニットであって、
ベースと、
背もたれ構成要素と、
座部構成要素と、
前記背もたれ構成要素および前記座部構成要素に動作可能に接続されるとともに前記背もたれ構成要素および前記座部構成要素を前記ベース上に支持して、直立位置とリクライニング位置との間を同期移動させる座部下制御部と
を備え、
前記座部構成要素および前記背もたれ構成要素の少なくとも一方は、中心開口を画定するフレームと、着座したユーザを支持するように前記開口にわたって延びる複数の独立たわみワイヤと、該ワイヤを覆うシートとを含む、座席ユニット。
【請求項２３】
前記ワイヤは、前記座部構成要素および前記背もたれ構成要素の両方に配置される、請求項２２に記載の座席ユニット。
【請求項２４】
前記シートの下にクッションを含む、請求項２２に記載の座席ユニット。
【請求項２５】
座席ユニットであって、
座部と、
複数の服従支持アームを有する制御機構であって、前記支持アームは、体重を支持するようにほぼ垂直方向の剛性が比較的高く、前記体重の移動を可能にするようにほぼ水平方向のたわみ性が比較的高い、制御機構と、
前記複数の服従支持アームの少なくとも１つに取り付けられ、それにより、該服従支持アームがたわむと移動することができることにより、該座席ユニットに服従背もたれ支持システムを与える、背もたれと
を備える、座席ユニット。
【請求項２６】
前記服従支持アームは、前記背もたれおよび前記座部それぞれと係合する第１および第２の支持アームを含む、請求項２５に記載の座席ユニット。
【請求項２７】
前記服従支持アームは板ばね状服従部材を含む、請求項２５に記載の座席ユニット。
【請求項２８】
前記背もたれのリクライニング時に前方移動するように前記座部を動作可能に支持するベースを含む、請求項２５に記載の座席ユニット。
【請求項２９】
座席ユニットであって、
座部と、
少なくとも１つの服従支持アーム、可動連結部、および該連結部が移動することを選択的に阻止する停止デバイスを有する、制御機構と、
前記少なくとも１つの服従支持アームおよび前記可動連結部に取り付けられる背もたれであって、前記少なくとも１つの服従支持アームは、該少なくとも１つの服従支持アームがたわむと前記背もたれが移動できるようにし、それにより、前記連結部の移動が阻止されている場合でも該座席ユニットに服従背もたれ支持システムを与える、背もたれと
を備える、座席ユニット。
【請求項３０】
前記少なくとも１つの服従支持アームは、前記背もたれおよび前記座部それぞれと係合する第１および第２の支持アームを含む、請求項２９に記載の座席ユニット。
【請求項３１】
前記少なくとも１つの服従支持アームは板ばね状服従部材を含む、請求項２９に記載の座席ユニット。
【請求項３２】
前記背もたれのリクライニング時に前方移動するように前記座部を動作可能に支持するベースを含む、請求項２５または２９に記載の座席ユニット。